(57)【要約】【課題】頭板が全周にわたって凹穴内周壁に当接し、見栄えが良く、しかも取り外しも容易な隠蔽キャップを提供する。【解決手段】隠蔽キャップ１Ａは、円板状の頭板２Ａと、１対の山形状の脚片６Ａと、ストッパ部１２付き係止紐状体１０とを備えている。各脚片６Ａの外周面には、凸条８Ａが突設されている。隠蔽キャップ１Ａを凹穴２２Ａから取り外すときには、頭板２Ａの周縁のうち脚片同士の間の位置を凹穴２２Ａ内に押し込み、該位置と直径方向に対峙する反対側を持ち上げる。この持ち上った部分を引張ることにより隠蔽キャップ１Ａを凹穴２１Ａから容易に取り出すことができる。【選択図】  図１
2004225738.tif 000002
【特許請求の範囲】
【請求項１】
座グリ状の凹穴に装着される隠蔽キャップであって、
該凹穴の周囲と略面一状となるように配置される円板状の頭板と、
該頭板の裏面から突設され、該凹穴の内周壁面に弾性的に当接する脚片と
を備えてなり、
該脚片が該頭板の直径方向に対峙して２個設けられていることを特徴とする隠蔽キャップ。
【請求項２】
請求項１において、該脚片は該頭板の裏面の周縁部から立設されており、且つ先端側に向って該周縁部に沿う周方向幅が徐々に小さくなる山形形状であることを特徴とする隠蔽キャップ。
【請求項３】
請求項１又は２において、該脚片は、該凹穴の内周壁面に弾性的に当接する凸部を有することを特徴とする隠蔽キャップ。
【請求項４】
請求項１ないし３のいずれか１項において、凹穴に設けられた係止口に対して挿入される係止紐状体を備えていることを特徴とする隠蔽キャップ。
【請求項５】
請求項４において、該係止紐状体の先端に該係止口からの抜出を阻止するストッパ部が設けられていることを特徴とする隠蔽キャップ。
【請求項６】
請求項５において、該ストッパ部は、挿入方向の後方に向って次第に該係止紐状体から離反する形状であることを特徴とする隠蔽キャップ。
【発明の詳細な説明】
【０００１】
【発明の属する技術分野】
本発明は、ネジ頭部などを収容するための座グリ状凹穴に装着されるキャップに関するものである。
【０００２】
【従来の技術】
ネジを締めたときにネジの頭部を隠蔽するために、ネジ留めされる部材に座グリ状に凹穴を設け、この凹穴の中心のネジ挿通孔にネジを通してネジ留めし、該凹穴内にネジ頭部を配置させ、且つ該凹穴にキャップを装着することが広く行われている。
【０００３】
第５図は、この従来例を示す斜視図と断面図であり、第６図はその隠蔽キャップの裏側からの斜視図である。
【０００４】
隠蔽キャップ１は、略円板状の頭板２と、該頭板２の裏面から突設された円筒状の脚片６とを有している。脚片６の外径は頭板２の直径より若干小さくなっている。脚片６と頭板２は同軸状となっている。この略円板状の頭板２の一部はＤ字形状に切り欠かれ、Ｄカット部４となっている。円筒状の脚片６の外周面には、円筒の軸心線と平行方向に延在するリブ状の凸条８が複数個設けられている。なお、隠蔽キャップ１は合成樹脂等の弾性材料よりなっている。頭板２の直径は、部材２１の凹穴２２と等しいか又はそれよりも極く僅かに小さいものとなっている。
【０００５】
この凹穴２２は、板状の部材２１の外面に設けられている。該凹穴２２の底面中央には、ビス孔２４が貫設されている。部材２１の裏面は図示しない他の部材（例えばボス部）と当接され、部材２１のビス孔２４にビス２６を通してビス留することにより、両部材は連結されている。この隠蔽キャップ１は、その脚片６側から凹穴２２に挿入するようにして凹穴２２に装着される。
【０００６】
隠蔽キャップ１を凹穴２２に嵌合させると、凸条８が凹穴２２の内周壁面に弾性的に当接するため、隠蔽キャップ１は凹穴２２から容易には脱落しないようになる。なお、隠蔽キャップ１の高さは凹穴２２の深さと略同一であり、隠蔽キャップ１の頭板２上面と部材２１の上面とは面一状となる。
【０００７】
隠蔽キャップ１を凹穴２２から取り外す際には、Ｄカット部４と凹穴２２の内周壁面との間の間隙にドライバー等の工具を挿入し、キャップ１を取り外す。
【０００８】
実開昭５５−１７３７１９号公報には、第７，８図に示す隠蔽キャップが記載されている。第７図は隠蔽キャップの斜視図であり、第８図は隠蔽キャップの断面図である。隠蔽キャップ３１は、円板状の頭板（隠蔽板）３２と、該頭板３２の裏面から突設された４枚の脚部（舌片）３６とを有している。頭板３２の中央にはマイナスドライバー等の工具を挿入するための貫通孔３４が貫設されている。
【０００９】
この隠蔽キャップ３１を部材の凹穴に装着すると、脚部３６が凹穴の内周壁面に当接し、隠蔽キャップ３１の脱落が防止される。
【００１０】
隠蔽キャップ３１を取り外すときには、隠蔽キャップ３１の貫通孔３４にマイナスドライバー等の工具を挿入してキャップ３１を凹穴外に取り外す。
【００１１】
【特許文献１】
実開昭５５−１７３７１９号公報
【００１２】
【発明が解決しようとする課題】
第５，６図に示す隠蔽キャップ１にあっては、Ｄカット部４が存在するので、頭板２と凹穴２２内周縁との間に若干隙間が生じ、見栄えが悪くなることがある。
【００１３】
第７，８図に示す実開昭５５−１７３７１９号公報の隠蔽キャップ３１にあっても、頭板３２に貫通孔３４が存在するので、見栄えが良くない。
【００１４】
本発明は、頭板が全周にわたって凹穴内周壁に当接し、見栄えが良く、しかも取り外しも容易な隠蔽キャップを提供することを目的とする。
【００１５】
【課題を解決するための手段】
本発明の隠蔽キャップは、座グリ状の凹穴に装着される隠蔽キャップであって、該凹穴の周囲と略面一状となるように配置される円板状の頭板と、該頭板の裏面から突設され、該凹穴の内周壁面に弾性的に当接する脚片とを備えてなり、該脚片が該頭板の直径方向に対峙して２個設けられていることを特徴とするものである。
【００１６】
かかる隠蔽キャップは、座グリ状の凹穴に対し頭板が凹穴の周囲と面一状となるように装着される。この際、脚片が凹穴の内周壁面に当接し、その摩擦力によって隠蔽キャップが凹穴に対し装着保護される。
【００１７】
隠蔽キャップが凹穴に装着された状態にあっては、頭部が円形であるため、前記第５，６図の隠蔽キャップのＤカット部４による隙間は生じない。また、前記第７，８図の実開昭５５−１７３７１９号公報の貫通孔３４も存在しない。そのため、見栄えが良好である。
【００１８】
隠蔽キャップを取り外すときには、頭板の周縁のうち脚片同士の間の位置を凹穴内に押し込む。そうすると、該位置と直径方向に対峙する反対側が持ち上がって凹穴から抜け出すので、この部分を引張って隠蔽キャップを凹穴から取り外すことができる。
【００１９】
隠蔽キャップは、凹穴に設けられた係止口に対して挿入される係止紐状体を備えていることが好ましい。この場合、隠蔽キャップを凹穴から取り外す作業の際に隠蔽キャップが紛失することが防止されるため、容易に且つ安心して作業を行うことができる。
【００２０】
【発明の実施の形態】
以下、本発明の実施の形態について図面を参照して説明する。第１図は実施の形態に係る隠蔽キャップの斜視図、第２図は第１図の隠蔽キャップを部材の凹穴に装着する方法を説明する斜視図、第３図は第１図の隠蔽キャップを部材の凹穴に装着した状態を示す断面図、第４図は第１図の隠蔽キャップを部材の凹穴から取り外す方法を示す断面図である。
【００２１】
隠蔽キャップ１Ａは、円板状の頭板２Ａと、該頭板２Ａの裏面から突設された１対の脚片６Ａと、該頭板２Ａの裏面の外周縁近傍から突設された係止紐状体１０とを備えている。
【００２２】
脚片６Ａは、頭板２Ａ裏面の外周縁より少し内側（頭板２Ａの中心側）から、頭板２Ａの外周縁に沿って延在している。該脚片６Ａは、基端部から先端部に向って先細りする山形状（八字形状）となっている。この１対の脚片６Ａは、頭板２Ａの直径方向に対峙している。
【００２３】
脚片６Ａの外周面（頭板２Ａの中心から遠い方の面）からは、頭板２Ａの裏面と垂直方向に凸条８Ａが突設されている。この凸条８Ａは、頭板２Ａの外周縁まで達しているか、又は該外周縁よりも若干突出する高さを有している。
【００２４】
頭板２Ａの裏面の外周縁近傍のうち、１対の脚片６Ａの中間から係止紐状体１０が突設されている。この係止紐状体１０の先端は矢羽根形状のストッパ部１２となっている。なお、本実施の形態の隠蔽キャップ１Ａは、係止紐状体１０を含めて合成樹脂にて一体に成形されている。
【００２５】
部材２１Ａには、隠蔽キャップ１Ａの頭板２Ａとほぼ同一直径の凹穴２２Ａが設けられており、該凹穴２２Ａの底面中央にはビス孔２４が貫設されている。この凹穴２２Ａの内周壁面と底面との交叉隅部の一部には、弦方向に延在する段部３０が設けられており、この段部３０にはスリット状の係止口３２が切り欠かれている。
【００２６】
凹穴２２Ａの底面裏側は、部材２１Ａが連結される相手方部材のボス３４の先端と当接される。ビス２６がビス孔２４を通ってボス３４の孔にネジ込まれることにより、部材２１Ａと相手方部材とが連結されている。
【００２７】
隠蔽キャップ１Ａを部材２１Ａの凹穴２２Ａに装着する場合には、まず係止紐状体１０のストッパ部１２を係止口３２内に挿入する。次に、脚片６Ａを凹穴２２Ａ内に挿入し、頭板２Ａを凹穴２２Ａに嵌合させる。隠蔽キャップ１Ａを凹穴２２Ａに嵌め込んだ状態にあっては、凸条２Ａが凹穴２２Ａの内周壁面に弾性的に当接するので、隠蔽キャップ１Ａが抜け出すことが防止される。
【００２８】
この隠蔽キャップ１Ａの高さ（頭板２Ａの上面から脚片６Ａの先端部までの長さ）は凹穴２２Ａの深さと略同一となっているため、隠蔽キャップ１Ａの装着完了時、隠蔽キャップ１Ａの頭板２Ａ上面は部材２１Ａの凹穴２２Ａの周囲と略面一状となる。また、頭板２Ａと凹穴２２Ａの内周面との間には隙間は全く又は殆ど生じない。
【００２９】
隠蔽キャップ１Ａを凹穴２２Ａから取り外す場合には、第４図に示す通り、頭板２Ａの上面周縁のうち、脚片６Ａ，６Ａ同士の間の位置を、棒状体３６や指等で押し込む。これにより、隠蔽キャップ１Ａは、その脚片６Ａ，６Ａの先端部を支点として傾き、隠蔽キャップ１Ａの押圧位置と直径方向に対峙する反対側が持ち上がるので、この部分を引張って隠蔽キャップ１Ａを簡単に取り外すことができる。
【００３０】
なお、隠蔽キャップ１Ａを取り外しても、係止紐状体１０のストッパ部１２が凹穴２２Ａの係止口３２に係止されている。従って、隠蔽キャップ１Ａが紛失することが防止される。
【００３１】
本実施の形態では、脚片６Ａは山形状をしているが、これに限定されるものではなく、台形や長方形であってもよい。また、各脚片６Ａに凸条８Ａを２以上設けてもよい。頭板２Ａが凹穴２２Ａの内周壁面に弾性的に当接する場合は凸条８Ａはなくてもよいが、隠蔽キャップ１Ａの脱落を確実に防止するためには、凸条８Ａが設けられることが好ましい。凸部として、凸条の代りに突起状の凸部を設けてもよい。
【００３２】
本実施の形態では、係止紐状体１０の先端のストッパ部１２は矢羽根形状をしているが、これに限定されるものではなく、例えば三角形、球形、楕円球形、円錐形、四角錐形、六角錐形等であってもよい。
【００３３】
【発明の効果】
以上の通り、本発明によると、頭部と凹穴内壁面との間に目立った隙間が発生せず、見栄えが良好であると共に、取り外しが容易であり、しかも紛失防止を図るように構成することも可能な隠蔽キャップが提供される。
【図面の簡単な説明】
【図１】実施の形態に係る隠蔽キャップの斜視図である。
【図２】図１の隠蔽キャップを部材の凹穴に装着する方法を説明する斜視図である。
【図３】図１の隠蔽キャップを部材の凹穴に装着した状態を示す断面図である。
【図４】図１の隠蔽キャップを部材の凹穴から取り外す方法を示す断面図である。
【図５】（ａ）図は従来例を示す斜視図であり、（ｂ）図は（ａ）図の断面図である。
【図６】図５の隠蔽キャップの裏側からの斜視図である。
【図７】他の従来例を示す斜視図である。
【図８】図７の断面図である。
【符号の説明】
１，１Ａ，３１  隠蔽キャップ
２，２Ａ  頭板
４  Ｄカット部
６，６Ａ  脚片
８，８Ａ  凸部
１０  係止紐状体
１２  ストッパ部
２１，２１Ａ  部材
２２，２２Ａ  凹穴
３０  係止片
３２  係止口
【図１】
2004225738.tif 000003
【図２】
2004225738.tif 000004
【図３】
2004225738.tif 000005
【図４】
2004225738.tif 000006
【図５】
2004225738.tif 000007
【図６】
2004225738.tif 000008
【図７】
2004225738.tif 000009
【図８】
2004225738.tif 000010